(57)【要約】  給湯システムは、水を加熱する加熱部の水流路と、加熱部で加熱された水を貯留する貯湯タンクと、が水配管で接続され、水が循環する水回路を有し、水配管の内部に位置調整自在に配設され、スケールを捕捉するスケール捕捉体を備えたものである。
2017042909.tif 000002
【特許請求の範囲】
【請求項１】
水を加熱する加熱部の水流路と、前記加熱部で加熱された前記水を貯留する貯湯タンクと、が水配管で接続され、前記水が循環する水回路を有し、
前記水配管の内部に位置調整自在に配設され、スケールを捕捉するスケール捕捉体を備えた、
給湯システム。
【請求項２】
前記スケール捕捉体は、前記水配管の内径と実質的に同じ大きさの外径を有する、
請求項１に記載の給湯システム。
【請求項３】
前記スケール捕捉体は、芯線と、前記芯線に固定され、前記芯線の周囲を覆う捕捉体と、を含む、
請求項１または請求項２に記載の給湯システム。
【請求項４】
前記捕捉体は、前記芯線に固定され、前記芯線から外方に突出するブラシを含む、
請求項３に記載の給湯システム。
【請求項５】
前記スケール捕捉体は、捻られた前記芯線に、前記ブラシが狭持されたネジリブラシである、
請求項４に記載の給湯システム。
【請求項６】
前記スケール捕捉体は、その上流側と比較して、下流側の密度が大きい、
請求項１〜請求項５の何れか一項に記載の給湯システム。
【請求項７】
前記スケール捕捉体が、前記水配管のうちの、前記水流路の下流側と前記貯湯タンクとを接続する高温水配管の内部に配設された、
請求項１〜請求項６の何れか一項に記載の給湯システム。
【請求項８】
前記水流路は、前記水配管と比較して、流路断面積が小さい、
請求項１〜請求項７の何れか一項に記載の給湯システム。
【請求項９】
前記スケール捕捉体が配設された領域における、前記水配管の流路の体積のうちの、前記スケール捕捉体が占める割合が５％以下である、
請求項１〜請求項８の何れか一項に記載の給湯システム。
【請求項１０】
前記水配管は曲部を有し、
前記スケール捕捉体が、前記曲部を含む領域に配設された、
請求項１〜請求項９の何れか一項に記載の給湯システム。
【請求項１１】
前記スケール捕捉体が、前記水配管のうちの、前記水流路の下流側と前記貯湯タンクとを接続する高温水配管の実質的に全体に渡って配設されている、
請求項１〜請求項１０の何れか一項に記載の給湯システム。
【発明の詳細な説明】
【技術分野】
【０００１】
この発明は、水を循環させながら加熱する水回路を有する給湯システムに関する。
【背景技術】
【０００２】
従来から、水が流れる流路にスケールが付着等することによって、流路が閉塞する等の問題点があることが知られている。そのような問題点を解決する従来技術としては、スケールを堆積させるスケール堆積部を備えた水冷媒熱交換器が知られている（例えば、特許文献１参照）。特許文献１に記載された水冷媒熱交換器は、水を略垂直下方に流通させる直管部分を有した高温加熱管と、高温加熱管を流通した水を水出口に導く導出管と、高温加熱管と導出管とを連通させるスケール貯留体と、を有し、スケール貯留体の、高温加熱管及び導出管との接続位置よりも低い位置に、スケール堆積部が設けられている。
【先行技術文献】
【特許文献】
【０００３】
【特許文献１】特開２００８−１９０７８０号公報
【発明の概要】
【発明が解決しようとする課題】
【０００４】
しかしながら、特許文献１に記載されているような従来技術では、配管の引き回しが複雑化しており、さらにスケール貯留体が大型であるため、給湯システムの構造的な制約が増加し、且つ給湯システムが大型化してしまう。【０００５】
この発明は、上記のような課題を背景としてなされたものであり、スケールを捕捉するスケール捕捉体を備えた給湯システムにおいて、構造的な制約を低減し、さらに小型化を達成することを目的としている。
【課題を解決するための手段】
【０００６】
この発明に係る給湯システムは、水を加熱する加熱部の水流路と、加熱部で加熱された水を貯留する貯湯タンクと、が水配管で接続され、水が循環する水回路を有し、水配管の内部に位置調整自在に配設され、スケールを捕捉するスケール捕捉体を備えたものである。
【発明の効果】
【０００７】
この発明によれば、水配管の内部に位置調整自在に配設されたスケール捕捉体を備えているため、スケールを捕捉するスケール捕捉体を備えた給湯システムにおいて、構造的な制約が低減され、さらに小型化が達成されている。
【図面の簡単な説明】
【０００８】
【図１】この発明の実施の形態１に係る給湯システムを模式的に記載した図である。
【図２】図１に記載の水配管のスケール捕捉体が配設された領域の断面を模式的に記載した図である。
【図３】図２の変形例であり、実施の形態１の変形例１を模式的に記載した図である。
【図４】図１の変形例であり、実施の形態１の変形例２を模式的に記載した図である。
【図５】図４に記載の水配管のスケール捕捉体が配設された領域の断面を模式的に記載した図である。
【図６】図４の変形例であり、実施の形態１の変形例３を模式的に記載した図である。
【図７】図１の変形例であり、実施の形態１の変形例４を模式的に記載した図である。
【発明を実施するための形態】
【０００９】
以下、図面を参照して、この発明の実施の形態について説明する。なお、各図中、同一または相当する部分には、同一符号を付して、その説明を適宜省略または簡略化する。また、各図に記載の構成について、その形状、大きさおよび配置等は、この発明の範囲内で適宜変更することができる。
【００１０】
実施の形態１．
［給湯システム］
図１は、この発明の実施の形態１に係る給湯システムを模式的に記載した図であり、図２は、図１に記載の水配管のスケール捕捉体が配設された領域の断面を模式的に記載した図である。なお、図１では、この実施の形態の理解を容易にするために、水配管７のスケール捕捉体７２が配設された領域７０について、断面を模式的に記載してある。この実施の形態の例の給湯システム１００は、水回路１２の水を循環させながら加熱し、加熱した水が利用されるものである。給湯システム１００は、例えば、第１流体回路１１と水回路１２と加熱部４とを備えている。
【００１１】
［第１流体回路］
第１流体回路１１は、第１流体を循環させるものであり、熱源１と、ポンプ３と、加熱部４の第１流体流路４２と、が配管２で接続されて形成されている。第１流体回路１１は、第１流体が密封された密閉回路である。第１流体回路１１に循環させる第１流体は、例えば水またはブライン等であるが、他の流体であってもよい。熱源１は、第１流体を加熱するものであり、例えば電気ヒータまたはボイラー等を含んで構成されている。ポンプ３は、第１流体回路１１に第１流体を循環させるものである。
【００１２】
［水回路］
水回路１２は、水を循環させるものであり、貯湯タンク５と、循環ポンプ６と、加熱部４の水流路４１と、が水配管７で接続されて形成されている。貯湯タンク５は、加熱部４で加熱された水を貯留するものである。貯湯タンク５には、貯湯タンク５の水を供給先へ導く供給配管９と、外部からの水を貯湯タンク５に導入する導入配管１０と、が接続されている。なお、外部から貯湯タンク５に導入する水は、例えば水道水である。循環ポンプ６は、水回路１２に水を循環させるものである。水配管７は、水流路４１の下流側と貯湯タンク５とを接続する高温水配管７−１と、貯湯タンク５と水流路４１の上流側とを接続する低温水配管７−２と、を有している。高温水配管７−１は、加熱部４で加熱された高温の水を、貯湯タンク５に導くものである。低温水配管７−２は、貯湯タンク５から流出した水を、加熱部４に導くものである。
【００１３】
［加熱部］
加熱部４は、水流路４１に流れる水を加熱するものである。この実施の形態の例の加熱部４は、水流路４１と第１流体流路４２とを有し、水流路４１に流れる水と第１流体流路４２に流れる第１流体とを熱交換させることで、水流路４１に流れる水を加熱する熱交換器である。例えば、水流路４１は、水が効率良く加熱されるように、水配管７と比較して、小さい流路断面積を有している。なお、この実施の形態の例の加熱部４を形成する熱交換器は、例えばプレート熱交換器であるが、シェルアンドチューブ熱交換器等の他のタイプの熱交換器であってもよい。
【００１４】
［給湯システムの動作］
次に、給湯システム１００の動作の一例について説明する。
【００１５】
例えば、まず、水を導入配管１０から貯湯タンク５に導入する。貯湯タンク５の水量が、予め設定された量（例えば満水）となったのちに、熱源１、ポンプ３および循環ポンプ６を動作させる。
【００１６】
熱源１およびポンプ３を動作させることによって、第１流体回路１１に高温の第１流体が循環する。すなわち、熱源１で加熱された第１流体は、加熱部４の第１流体流路４２を流れて、水流路４１の水を加熱する。水流路４１の水を加熱して放熱された第１流体は、熱源１で再び加熱される。
【００１７】
また、循環ポンプ６を動作させることによって、水回路１２に水が循環する。貯湯タンク５から流出した水は、加熱部４の水流路４１を流れて加熱される。加熱部４で加熱された水は、貯湯タンク５に戻る。貯湯タンク５内の水の温度が、予め設定された温度となるまで、熱源１、ポンプ３および循環ポンプ６を動作させて、第１流体回路１１の第１流体および水回路１２の水を循環させながら、水を加熱する。貯湯タンク５に貯留された温水は、供給配管９を介して、例えば給湯および暖房等の用途に利用される。
【００１８】
［スケール捕捉体］
次に、スケール捕捉体７２について説明する。水回路１２を循環する水には、例えば炭酸カルシウム等のスケールの発生源となる物質が含まれており、水回路１２に循環する水の温度が高くなると、スケールが析出しやすくなる。スケールが析出すると、析出したスケールが水回路１２の流路に付着し、また、析出したスケールの周囲にスケールが次々と析出してスケールが大型に成長する。スケールは、水回路１２の流路の閉塞を引き起こすおそれがある。また、スケールが、加熱部４の水流路４１に付着した場合には、加熱部４での加熱効率が低下するという問題点もある。この実施の形態の例の水回路１２では、水が給湯等の用途で利用されて水回路１２の外部に排出されると、外部からの新たな水が水回路１２に導入されるため、水回路１２にはスケールの発生源が供給され続けることとなる。したがって、この実施の形態の例の水回路１２では、上記のようなスケールの影響が大きい。そこで、この実施の形態では、水配管７の内部に、スケールを捕捉するスケール捕捉体７２を配設してある。
【００１９】
スケール捕捉体７２は、析出したスケールを付着させることで、スケールを捕捉するものである。この実施の形態の例では、スケール捕捉体７２が、水配管７のうちの、高温水配管７−１の内部に配設されている。スケール捕捉体７２が高温水配管７−１に配設されることによって、スケール捕捉体７２が効率良くスケールを捕捉することができる。なぜなら、高温水配管７−１には、加熱部４で加熱された高温の水が流れるため、高温水配管７−１では、スケールが析出しやすい。また、スケール捕捉体７２が高温水配管７−１に配設されることによって、スケールが大型に成長する前の微小なスケール核を、スケール捕捉体７２が捕捉することができる。その結果、スケールの大型化が抑制されるため、水回路１２の閉塞のおそれを抑制することができる。特に、この実施の形態の例では、水流路４１の流路断面積が小さく形成されているため、スケールの大型化を抑制することで、水流路４１の閉塞のおそれを抑制することができる。また、水流路４１には、スケール捕捉体７２でスケールが捕捉された後の水が流れるため、水流路４１にスケールが付着することによって引き起こされる加熱効率の低減のおそれが抑制されている。
【００２０】
図２に示すように、スケール捕捉体７２は、芯線７４と、芯線７４の周囲を取り囲む捕捉体７６と、を含んで形成されている。この実施の形態の例のスケール捕捉体７２は、芯線７４と捕捉体７６とが別体で構成されており、それらを固定することで形成されているが、芯線７４と捕捉体７６とが一体的に形成されていてもよい。スケール捕捉体７２は、水配管７の内部で、位置調整自在となるように形成されている。スケール捕捉体７２が水配管７の内部で位置調整自在に形成されているため、スケール捕捉体７２の水配管７への配設が容易であり、さらに水配管７の構造的な制約が低減されている。この実施の形態の例では、水配管７は、円筒形状を有しており、スケール捕捉体７２は、実質的に円柱形状を有している。スケール捕捉体７２は、好適には、スケール捕捉体７２が水配管７の内部に配設された状態で、水配管７の内径と実質的に同じ大きさの外径を有している。スケール捕捉体７２の外径が水配管７の内径と実質的に同じ大きさであることで、スケールの捕捉が確実化される。
【００２１】
芯線７４は、スケール捕捉体７２の基体を構成するものである。芯線７４は、例えば、ステンレスまたは銅等の金属で形成されているが、金属以外の材質で形成されていてもよい。芯線７４は、好適には可撓性を有している。芯線７４が可撓性を有することで、スケール捕捉体７２が変形自在に形成されるため、スケール捕捉体７２の水配管７への配設が容易となる。なお、スケール捕捉体７２は、芯線７４を省略して形成されることもできるが、スケール捕捉体７２が、芯線７４を有して形成されることで、スケール捕捉体７２の水配管７への配設が容易となる。また、スケール捕捉体７２が、芯線７４を有して形成されることで、芯線７４に固定された捕捉体７６の伸縮または変形等が抑制されるため、捕捉体７６の密度が変化するおそれを抑制することができる。
【００２２】
捕捉体７６は、析出したスケールを付着させて捕捉するものであり、この実施の形態の例では、芯線７４から外方に突出するブラシを含んで形成されている。つまり、この実施の形態の例のスケール捕捉体７２は、例えば、複数本の芯線７４の間に、捕捉体７６を構成するブラシ材を挟んで、ねじり上げて形成されたネジリブラシである。捕捉体７６を構成するブラシ材は、例えば、ステンレス、銅、ナイロン、またはシリコン等で形成されている。なお、捕捉体７６は、ブラシを含んで構成されるものに限定されず、例えば、スポンジ等の多孔質材料を含んで構成されることもできる。
【００２３】
スケール捕捉体７２は、その密度を高くすることによって、スケールの捕捉を確実化することができるものの、スケール捕捉体７２の密度を高くすると、流動抵抗が増加してしまう。また、スケール捕捉体７２の密度を高くすると、スケールを捕捉したスケール捕捉体７２によって、流動抵抗がさらに増加し、さらには流路が閉塞するおそれが高まる。そこで、この実施の形態では、スケール捕捉体７２が配設された領域７０における、水配管７の流路の体積のうちの、スケール捕捉体７２が占める割合を５％以下としてある。このように、スケール捕捉体７２の流路体積に対する充填率を５％以下とすることによって、流動抵抗が過大となるおそれ、および流路が閉塞するおそれが抑制される。なお、この実施の形態の例では、スケール捕捉体７２が、水配管７の内部で、位置調整自在となるように形成されており、スケール捕捉体７２の長さについて、選択の自由度が向上されている。スケール捕捉体７２の長さを調整することで、スケール捕捉体７２の表面積を、スケールの捕捉が確実化されるように調整することができるため、流動抵抗の増加および流路の閉塞のおそれを抑制しつつ、スケールの捕捉を確実化することができる。
【００２４】
上記のように、この実施の形態の例に係る給湯システム１００は、水を加熱する加熱部４の水流路４１と、加熱部４で加熱された水を貯留する貯湯タンク５と、が水配管７で接続され、水が循環する水回路１２を有し、水配管７の内部に位置調整自在に配設され、スケールを捕捉するスケール捕捉体７２を備えたものである。この実施の形態の例では、スケール捕捉体７２がスケールを捕捉するため、スケールによって水回路１２が閉塞するおそれ、および加熱部４の水流路４１にスケールが付着して水の加熱効率が低下するおそれ等が抑制されている。さらに、この実施の形態の例では、スケール捕捉体７２が、水配管７の内部で、位置調整自在となるように形成されているため、水回路１２の構造的な制約が低減されている。つまり、スケール捕捉体７２を配設する水配管７に、拡管加工または縮管加工等を施し、または、スケール捕捉体７２を収容するための構成を追加する必要性がない。その結果、この実施の形態によれば、構造的な制約が低減され、さらに小型化が達成された給湯システム１００が得られる。
【００２５】
また、この実施の形態の例では、スケール捕捉体７２が、水配管７の内径と実質的に同じ大きさの外径を有しているため、スケールの捕捉が確実化されている。
【００２６】
また、この実施の形態の例では、スケール捕捉体７２が、芯線７４と、芯線７４に固定され、芯線７４の周囲を覆う捕捉体７６と、を含んで形成されている。スケール捕捉体７２が、芯線７４を含んで形成されることで、スケール捕捉体７２の水配管７への配設が容易となる。また、スケール捕捉体７２が、芯線７４を有して形成されることで、芯線７４に固定された捕捉体７６の伸縮または変形等が抑制されるため、捕捉体７６の密度が変化するおそれが抑制されている。例えば、捕捉体７６は、芯線７４に固定され、芯線７４から外方に突出するブラシを含んで構成されており、スケール捕捉体７２をネジリブラシのような単純な構成で実現することができる。なお、ネジリブラシで構成されるスケール捕捉体７２では、捻られた芯線７４に、捕捉体７６を形成するブラシが狭持されている。
【００２７】
また、この実施の形態の例では、スケール捕捉体７２が、水配管７のうちの、水流路４１の下流側と貯湯タンク５とを接続する高温水配管７−１の内部に配設されているため、スケール捕捉体７２が効率良くスケールを捕捉することができる。さらに、スケール捕捉体７２が高温水配管７−１に配設されることによって、スケールの大型化が抑制されるため、水回路１２の閉塞のおそれ等が抑制されている。特に、この実施の形態の例では、例えば加熱部４がプレート熱交換器を含んで構成されており、加熱部４の水流路４１が、水配管７と比較して、流路断面積が小さく形成されている。スケールの大型化を抑制することで、流路断面積が小さく形成された水流路４１の閉塞のおそれを抑制することができる。
【００２８】
また、この実施の形態の例では、スケール捕捉体７２が配設された領域７０における、水配管７の流路の体積のうちの、スケール捕捉体７２が占める割合を５％以下としてある。スケール捕捉体７２の流路体積に対する充填率を５％以下とすることによって、流動抵抗が過大となるおそれ、および流路が閉塞するおそれが抑制される。なお、この実施の形態の例では、スケール捕捉体７２が、水配管７の内部で、位置調整自在となるように形成されており、スケール捕捉体７２の長さについての自由度が向上されている。スケール捕捉体７２の長さを調整することで、スケール捕捉体７２の表面積を、スケールの捕捉が確実化されるように調整することができるため、流動抵抗の増加のおそれおよび流路の閉塞のおそれを抑制しつつ、スケールの捕捉を確実化することができる。
【００２９】
なお、この実施の形態は、上記で説明したものに限定されず、例えば以下で説明するような変形例を有している。
【００３０】
［変形例１］
図３は、図２の変形例であり、実施の形態１の変形例１を模式的に記載した図である。変形例１では、図３に示すように、スケール捕捉体７２Ａは、その上流側（図３における右側）と比較して、下流側（図３における左側）の密度が大きく形成されている。つまり、図２に記載の実施の形態１の例では、スケール捕捉体７２が、水が流れる方向の上流から下流にかけて、実質的に同じ充填率を有するものであったが、変形例１のスケール捕捉体７２Ａでは、図３に示すように、水が流れる方向の下流側の充填率が、上流側の充填率と比較して、大きくなっている。変形例１のように、スケール捕捉体７２Ａが、上流側を粗とし、下流側を密として形成されることによって、スケール捕捉体７２Ａが、その全長に渡って、スケールを均一的に捕捉することができる。なぜなら、スケール捕捉体７２Ａが配設された領域７０Ａにおいて、スケールは下流側に流れながら徐々に捕捉されていくため、上流側の方が下流側と比較してスケールの量が多く、さらに上流側の温度が下流側の温度と比較して高いため、スケールは、スケール捕捉体７２Ａの上流側で捕捉されやすい。したがって、スケール捕捉体７２Ａの上流側を粗とし、下流側を密とすることによって、スケールがスケール捕捉体７２Ａの全長に渡って均一的に捕捉される。その結果、この実施の形態によれば、スケール捕捉体７２Ａの上流側での、捕捉したスケールよって引き起こされる、流動抵抗の増加のおそれ、および流路の閉塞のおそれ等が抑制される。したがって、変形例１によれば、スケール捕捉体７２の長寿命化が実現されている。さらに、変形例１によれば、スケール捕捉体７２Ａの下流側が密に形成されているため、スケールの捕捉が確実化されている。
【００３１】
［変形例２］
図４は、図１の変形例であり、実施の形態１の変形例２を模式的に記載した図であり、図５は、図４に記載の水配管のスケール捕捉体が配設された領域の断面を模式的に記載した図である。変形例２では、図４および図５に示すように、水配管７が曲部を有し、スケール捕捉体７２が、水配管７の曲部を含む領域７０Ｂに配設されている。つまり、図１に記載の実施の形態１の例は、スケール捕捉体７２が、水配管７の直線形状部の領域７０に配設されたものであったが、変形例２では、図４および図５に示すように、スケール捕捉体７２が、水配管７の曲部を含む領域７０Ｂに配設されている。上記のように、スケール捕捉体７２が変形自在に形成されることによって、変形例２のように、スケール捕捉体７２を水配管７の曲部を含む領域７０Ｂに配設することができる。したがって、変形例２によれば、水配管７のスケール捕捉体７２が配設される領域の自由度が向上されているため、水配管７の引き回しの制約等が低減されている。その結果、この実施の形態によれば、給湯システム１００の構造上の制約が低減されており、さらに給湯システム１００の小型化が実現されている。また、変形例２では、スケール捕捉体７２が、水配管７の曲部を含む領域７０Ｂに配設されているため、スケール捕捉体７２が水配管７の内部に安定的に配設されている。なお、変形例２においては、スケール捕捉体７２が芯線７４を含んで構成されることによって、スケール捕捉体７２の水配管７への設置が容易となり、さらに捕捉体７６の密度が変化するおそれが抑制される。
【００３２】
［変形例３］
図６は、図４の変形例であり、実施の形態１の変形例３を模式的に記載した図である。図４に記載の変形例２では、スケール捕捉体７２が、水配管７の部分的な領域７０Ｂに配設されていたが、変形例３では、図６に示すように、スケール捕捉体７２が、水配管７のうちの、水流路４１の下流側と貯湯タンク５とを接続する高温水配管７−１の実質的に全体に渡って配設されている。スケール捕捉体７２が、高温水配管７−１の内部に配設されることで、スケールが効率良く捕捉され、さらにスケールの大型化が抑制される。さらに、スケール捕捉体７２が、高温水配管７−１の実質的に全体に渡って配設されることによって、スケール捕捉体７２が配設された領域７０Ｂ−１における、スケール捕捉体７２の充填率を低減させることができるため、流動抵抗の増加のおそれおよび流路の閉塞のおそれを抑制しつつ、スケールの捕捉を確実化することができる。
【００３３】
［変形例４］
図７は、図１の変形例であり、実施の形態１の変形例４を模式的に記載した図である。図１に記載の実施の形態１の例では、ヒータまたはボイラー等の熱源１で加熱された水またはブライン等の第１流体を利用して、水回路１２の水を加熱する給湯システム１００の例について説明したが、変形例４の給湯システム１００Ａでは、冷媒を利用して、水回路１２の水を加熱する。つまり、変形例４の熱源１Ａは、膨脹装置３１と熱源側熱交換器３２と圧縮機３３とを含んで構成されており、給湯システム１００Ａは、熱源１Ａと、加熱部４の冷媒流路４２Ａと、が冷媒配管２Ａで接続された冷媒回路１１Ａを有している。圧縮機３３で圧縮された高温の冷媒は、冷媒流路４２Ａを流れて、水流路４１の水を加熱して、凝縮する。冷媒流路４２Ａを流れて凝縮した冷媒は、膨脹装置３１で膨脹されて、熱源側熱交換器３２に流れる。熱源側熱交換器３２を流れて蒸発した冷媒は、圧縮機３３に流入し再び圧縮される。
【００３４】
この発明は、上記の実施の形態に限定されるものではなく、この発明の範囲内で種々に改変することができる。すなわち、上記の実施の形態の構成を適宜改良してもよく、また、少なくとも一部を他の構成に代替させてもよい。さらに、その配置について特に限定のない構成要件は、実施の形態で開示した配置に限らず、その機能を達成できる位置に配置することができる。
【００３５】
例えば、上記では、スケール捕捉体７２が、水配管７のうちの、高温水配管７−１に配設された例についての説明を行ったが、スケール捕捉体７２は、高温水配管７−１に代えて低温水配管７−２のみに配設されていてもよく、高温水配管７−１および低温水配管７−２に配設されていてもよい。
【００３６】
また例えば、上記では、加熱部４が、流体同士を熱交換させる熱交換器を含んで構成された例について説明したが、加熱部４は、水流路４１の水を直接的に加熱するボイラーまたは電熱線のようなものを含んで構成されることもできる。
【００３７】
また例えば、図３に記載の変形例１のスケール捕捉体７２Ａを、図４〜図７に記載の変形例２〜変形例４に適用することもできる。
【００３８】
また例えば、上記の変形例２および変形例３では、図４〜図６に示すように、スケール捕捉体７２が、水配管７の１つの曲部を含む領域に配設された例について説明したが、スケール捕捉体７２は、水配管７の２つ以上の曲部を含む領域に配設されることもできる。
【符号の説明】
【００３９】
１  熱源、１Ａ  熱源、２  配管、２Ａ  冷媒配管、３  ポンプ、４  加熱部、５  貯湯タンク、６  循環ポンプ、７  水配管、７−１  高温水配管、７−２  低温水配管、９  供給配管、１０  導入配管、１１  第１流体回路、１１Ａ  冷媒回路、１２  水回路、３１  膨脹装置、３２  熱源側熱交換器、３３  圧縮機、４１  水流路、４２  第１流体流路、４２Ａ  冷媒流路、７０  領域、７０Ａ  領域、７０Ｂ  領域、７０Ｂ−１  領域、７２  スケール捕捉体、７２Ａ  スケール捕捉体、７４  芯線、７６  捕捉体、１００  給湯システム、１００Ａ  給湯システム。
【図１】
2017042909.tif 000003
【図２】
2017042909.tif 000004
【図３】
2017042909.tif 000005
【図４】
2017042909.tif 000006
【図５】
2017042909.tif 000007
【図６】
2017042909.tif 000008
【図７】
2017042909.tif 000009
【手続補正書】
【提出日】平成30年1月5日(2018.1.5)
【手続補正１】
【補正対象書類名】明細書
【補正対象項目名】０００６
【補正方法】変更
【補正の内容】
【０００６】
この発明に係る給湯システムは、水を加熱する加熱部の水流路と、加熱部で加熱された水を貯留する貯湯タンクと、が水配管で接続され、水が循環する水回路を有し、水配管の内部に位置調整自在に配設され、スケールを捕捉するスケール捕捉体を備え、スケール捕捉体は、その上流側と比較して、下流側の密度が大きいものである。
【手続補正２】
【補正対象書類名】特許請求の範囲
【補正対象項目名】全文
【補正方法】変更
【補正の内容】
【特許請求の範囲】
【請求項１】
水を加熱する加熱部の水流路と、前記加熱部で加熱された前記水を貯留する貯湯タンクと、が水配管で接続され、前記水が循環する水回路を有し、
前記水配管の内部に位置調整自在に配設され、スケールを捕捉するスケール捕捉体を備え、
前記スケール捕捉体は、その上流側と比較して、下流側の密度が大きい、
給湯システム。
【請求項２】
前記スケール捕捉体は、前記水配管の内径と実質的に同じ大きさの外径を有する、
請求項１に記載の給湯システム。
【請求項３】
前記スケール捕捉体は、芯線と、前記芯線に固定され、前記芯線の周囲を覆う捕捉体と、を含む、
請求項１または請求項２に記載の給湯システム。
【請求項４】
前記捕捉体は、前記芯線に固定され、前記芯線から外方に突出するブラシを含む、
請求項３に記載の給湯システム。
【請求項５】
前記スケール捕捉体は、捻られた前記芯線に、前記ブラシが狭持されたネジリブラシである、
請求項４に記載の給湯システム。
【請求項６】
前記スケール捕捉体が、前記水配管のうちの、前記水流路の下流側と前記貯湯タンクとを接続する高温水配管の内部に配設された、
請求項１〜請求項５の何れか一項に記載の給湯システム。
【請求項７】
前記水流路は、前記水配管と比較して、流路断面積が小さい、
請求項１〜請求項６の何れか一項に記載の給湯システム。
【請求項８】
前記スケール捕捉体が配設された領域における、前記水配管の流路の体積のうちの、前記スケール捕捉体が占める割合が５％以下である、
請求項１〜請求項７の何れか一項に記載の給湯システム。
【請求項９】
前記水配管は曲部を有し、
前記スケール捕捉体が、前記曲部を含む領域に配設された、
請求項１〜請求項８の何れか一項に記載の給湯システム。
【請求項１０】
前記スケール捕捉体が、前記水配管のうちの、前記水流路の下流側と前記貯湯タンクとを接続する高温水配管の実質的に全体に渡って配設されている、
請求項１〜請求項９の何れか一項に記載の給湯システム。
【国際調査報告】
2017042909.tif 000010
2017042909.tif 000011
2017042909.tif 000012